(57)【要約】  行動誘引システム（１００）は、宅内機器（１０）、情報通信機器（２０）及び行動を検知する行動検知器（３０）から情報を取得する通信部（４１）と、通信部（４１）が取得した情報に基づいて、音楽再生機能付き照明器具（５０）を制御する制御部（４２）とを備え、通信部（４１）は、情報通信機器（２０）から誘引に関する条件を示す誘引情報を取得し、宅内機器（１０）から宅内機器（１０）の状態を示す宅内機器情報を取得し、行動検知器（３０）から行動を示す行動情報を取得し、制御部（４２）は、宅内機器情報が示す状態が、誘引情報が示す条件を満たした場合に、通信部（４１）を介して音楽再生機能付き照明器具（５０）に楽曲の再生を開始させ、通信部（４１）が取得した行動情報に基づいて、音楽再生機能付き照明器具（５０）が楽曲を再生し終えるのに要する時間を、楽曲の再生が開始された後に調整する。
2019087851.tif 000002
【特許請求の範囲】
【請求項１】
人の行動を誘引する行動誘引システムであって、
宅内機器、情報通信機器及び前記行動を検知する行動検知器から情報を取得する通信部と、
前記通信部により取得された情報に基づいて、音楽再生機能付き照明器具を制御する制御部とを備え、
前記通信部は、前記情報通信機器から前記誘引に関する条件を示す誘引情報を取得し、前記宅内機器から前記宅内機器の状態を示す宅内機器情報を取得し、前記行動検知器から前記行動を示す行動情報を取得し、
前記制御部は、
前記通信部により取得された前記宅内機器情報が示す前記状態が、前記通信部により取得された前記誘引情報が示す前記条件を満たした場合に、前記通信部を介して前記音楽再生機能付き照明器具に楽曲の再生を開始させ、
前記通信部により取得された前記行動情報に基づいて、前記音楽再生機能付き照明器具が前記楽曲を再生し終えるのに要する時間を、前記楽曲の再生が開始された後に調整する
行動誘引システム。
【請求項２】
前記制御部は、前記通信部により取得された前記行動情報に基づいて、前記人の行動の達成状況を判断し、判断した前記達成状況に基づいて、前記時間を調整する
請求項１に記載の行動誘引システム。
【請求項３】
前記制御部は、前記行動情報に基づいて、前記人の行動が達成されて完了するタイミングを予測し、予測した前記タイミングで、前記音楽再生機能付き照明器具が前記楽曲を再生し終えるように、前記時間を調整する
請求項２に記載の行動誘引システム。
【請求項４】
前記制御部は、前記楽曲の再生速度を調整することで、前記時間を調整する
請求項１から請求項３のいずれか一項に記載の行動誘引システム。
【請求項５】
前記制御部は、前記楽曲の少なくとも一部において繰り返し再生させることで、前記時間を調整する
請求項１から請求項３のいずれか一項に記載の行動誘引システム。
【請求項６】
前記制御部は、さらに、前記通信部により取得された前記宅内機器情報が示す前記状態が、前記通信部により取得された前記誘引情報が示す前記条件を満たした場合に、前記通信部を介して前記音楽再生機能付き照明器具による照明の動作を制御する
請求項１から請求項５のいずれか一項に記載の行動誘引システム。
【請求項７】
人の行動を誘引する行動誘引方法であって、
宅内機器、情報通信機器及び前記行動を検知する行動検知器から情報を取得する通信ステップと、
前記通信ステップで取得された情報に基づいて、音楽再生機能付き照明器具を制御する制御ステップと、を含み、
前記通信ステップでは、前記情報通信機器から前記誘引に関する条件を示す誘引情報を取得し、前記宅内機器から前記宅内機器の状態を示す宅内機器情報を取得し、前記行動検知器から前記行動を示す行動情報を取得し、
前記制御ステップは、
前記通信ステップで取得された前記宅内機器情報が示す前記状態が、前記通信ステップで取得された前記誘引情報が示す前記条件を満たした場合に、通信により、前記音楽再生機能付き照明器具に楽曲の再生を開始させる音楽再生ステップと、
前記通信ステップで取得した前記行動情報に基づいて、前記音楽再生機能付き照明器具が前記楽曲を再生し終えるのに要する時間を、前記楽曲の再生が開始された後に調整する再生時間調整ステップと、を含む
行動誘引方法。
【請求項８】
請求項７に記載の行動誘引方法をコンピュータに実行させるプログラム。
【発明の詳細な説明】
【技術分野】
【０００１】
本開示は、人の行動を誘引する行動誘引システム、行動誘引方法及びプログラムに関する。
【背景技術】
【０００２】
近年、女性の社会進出に伴い、子供のいる共働き家族が増加している。また、核家族化に伴い、家事や育児を主に女性が行っている場合が多く、女性に大きな負担がかかっている。このような状況において、女性の子育てに対する負担を減らすことが求められている。【０００３】
例えば、特許文献１は、監視領域内に存在する危険因子を認識する手段を設け、乳幼児が危険因子に接近するとそれを検出して、乳幼児の保護者が危険因子から乳幼児を遠ざける行動を取れるように支援情報を提供する事故予防システムを開示している。【０００４】
特許文献１に記載の従来技術によれば、乳幼児が危険因子に接近した場合に、母親に支援情報を提供して、母親が乳幼児を危険因子から遠ざける、又は、乳幼児が危険因子を認識するように母親が乳幼児に「しつけ」をする支援をすることができる。
【先行技術文献】
【特許文献】
【０００５】
【特許文献１】特開２００４−０７８３０４号公報
【発明の概要】
【発明が解決しようとする課題】
【０００６】
しかしながら、特許文献１に記載の従来技術では、母親が乳幼児のしつけのために自分の時間を割く必要がある。そのため、共働き家庭における母親の負担が軽減されているとは言い難い。【０００７】
そこで、本開示は、対象者が自主的に行動することができるように導くことができる行動誘引システム、行動誘引方法及びプログラムを提供する。
【課題を解決するための手段】
【０００８】
本開示の一態様に係る行動誘引システムは、人の行動を誘引する行動誘引システムであって、宅内機器、情報通信機器及び前記行動を検知する行動検知器から情報を取得する通信部と、前記通信部により取得された情報に基づいて、音楽再生機能付き照明器具を制御する制御部とを備え、前記通信部は、前記情報通信機器から前記誘引に関する条件を示す誘引情報を取得し、前記宅内機器から前記宅内機器の状態を示す宅内機器情報を取得し、前記行動検知器から前記行動を示す行動情報を取得し、前記制御部は、前記通信部により取得された前記宅内機器情報が示す前記状態が、前記通信部により取得された前記誘引情報が示す前記条件を満たした場合に、前記通信部を介して前記音楽再生機能付き照明器具に楽曲の再生を開始させ、前記通信部が取得した前記行動情報に基づいて、前記音楽再生機能付き照明器具が前記楽曲を再生し終えるのに要する時間を、前記楽曲の再生が開始された後に調整する。【０００９】
また、本開示の一態様に係る行動誘引方法は、人の行動を誘引する行動誘引方法であって、宅内機器、情報通信機器及び前記行動を検知する行動検知器から情報を取得する通信ステップと、前記通信ステップで取得した情報に基づいて、音楽再生機能付き照明器具を制御する制御ステップと、を含み、前記通信ステップでは、前記情報通信機器から前記誘引に関する条件を示す誘引情報を取得し、前記宅内機器から前記宅内機器の状態を示す宅内機器情報を取得し、前記行動検知器から前記行動を示す行動情報を取得し、前記制御ステップは、前記通信ステップで取得された前記宅内機器情報が示す前記状態が、前記通信ステップで取得された前記誘引情報が示す前記条件を満たした場合に、通信により、前記音楽再生機能付き照明器具に楽曲の再生を開始させる音楽再生ステップと、前記通信ステップで取得した前記行動情報に基づいて、前記音楽再生機能付き照明器具が前記楽曲を再生し終えるのに要する時間を、前記楽曲の再生が開始された後に調整する再生時間調整ステップと、を含む。【００１０】
また、本開示の一態様に係るプログラムは、前記の行動誘引方法をコンピュータに実行させる。
【発明の効果】
【００１１】
本開示によれば、対象者が自主的に行動するように導くことができる行動誘引システム、行動誘引方法及びプログラムを提供することができる。
【図面の簡単な説明】
【００１２】
【図１】図１は、実施の形態に係る行動誘引システムの概要を説明する図である。
【図２】図２は、実施の形態に係る行動誘引システムの構成を示す機能ブロック図である。
【図３】図３は、実施の形態に係る行動誘引システムの動作例を示すシーケンス図である。
【図４】図４は、実施の形態における通信部及び制御部の動作例を示すフローチャートである。
【発明を実施するための形態】
【００１３】
以下、本開示の実施の形態について、図面を参照しながら具体的に説明する。
【００１４】
なお、以下で説明する実施の形態は、いずれも包括的又は具体的な例を示すものである。以下の実施の形態で示される数値、形状、構成要素、構成要素の配置位置及び接続形態、ステップ、ステップの順序などは、一例であり、本開示を限定する主旨ではない。また、以下の実施の形態における構成要素のうち、最上位概念を示す独立請求項に記載されていない構成要素については、任意の構成要素として説明される。また、各図は、必ずしも厳密に図示したものではない。各図において、実質的に同一の構成については同一の符号を付し、重複する説明は省略又は簡略化することがある。
【００１５】
（実施の形態）
［行動誘引システムの概要］
図１は、本実施の形態に係る行動誘引システム１００の概要を説明する図である。
【００１６】
本実施の形態に係る行動誘引システム１００は、人の行動を誘引するシステムであって、音楽再生機能付き照明器具５０（以下、単に、「照明器具５０」と称する。）により、室内の環境を制御して、人が自主的に行動を行うことができるように導くシステムである。
【００１７】
行動誘引システム１００は、宅内機器１０と、情報通信機器２０と、行動検知器３０と、制御装置４０と、照明器具５０とを備える。なお、行動誘引システム１００は、サーバ２００を備えてもよいし、備えなくてもよい。
【００１８】
宅内機器１０は、住宅内に配置される機器であり、ここでは、テレビである例を示す。情報通信機器２０は、誘引情報を制御装置４０に送信する機器であり、ここでは、スマートフォンである例を示す。行動検知器３０は、人の動きを検知する機器であり、ここでは、カメラである例を示す。
【００１９】
なお、誘引情報とは、誘引に関する条件であり、ここでは、人の行動を誘引させるタイミング情報と、誘引方法を示す行動誘引プログラム情報とを含む。タイミング情報は、例えば、所定の行動誘引プログラムに基づいて、制御装置４０が照明器具５０の制御を開始するタイミングである。行動誘引プログラム情報は、例えば、照明器具５０による照明の動作及び楽曲の再生を制御するプログラム情報である。
【００２０】
また、人とは、行動を誘引される対象者であり、ここでは、幼児である例を示す。また、行動とは、行動誘引システム１００により誘引される対象行動をいい、例えば、片付け、翌日の持ち物の準備、食卓の準備、着替え又は、就寝準備などである。ここでは、幼児に片付けを誘引する例を示す。
【００２１】
以下、図１を用いて、本実施の形態に係る行動誘引システム１００の概要を説明する。行動誘引システム１００は、例えば、幼児の行動を誘引するシステムである。具体的には、幼児がテレビ番組を見終わったタイミングで、制御装置４０が照明器具５０を制御して、室内の照明の動作及び楽曲の再生を実行させることにより、幼児が今から片付けをする時間であると気づき、自主的に片付けを行うことができるように導くシステムである。なお、図１に示す具体例は、あくまでも一例であり、本開示の行動誘引システム１００はこれに限られない。
【００２２】
制御装置４０は、テレビ１０、スマートフォン２０、カメラ３０、及び照明器具５０に接続されている。制御装置４０は、単独で配置されてもよく、照明器具５０内に組み込まれてもよい。さらに、テレビ１０は、サーバ２００と接続されている。テレビ１０は、サーバ２００からデータをダウンロードする。サーバ２００には、テレビの番組情報及びテレビ番組のコンテンツ情報などのデータが格納されている。これらの接続は、有線でもよいし、無線でもよい。
【００２３】
母親は、予め、スマートフォン２０を用いて、誘引情報を入力し、所定のタイミング及びプログラムで照明器具５０を動作させる設定を行うことができる。なお、所定のタイミング及びプログラムについては、「行動誘引システムの構成」の項にて後述する。
【００２４】
［行動誘引システムの構成］
以下、本実施の形態に係る行動誘引システム１００の構成について説明する。図２は、本実施の形態に係る行動誘引システム１００の構成を示す機能ブロック図である。
【００２５】
図２に示すように、行動誘引システム１００は、宅内機器１０と、情報通信機器２０と、行動検知器３０と、制御装置４０と、照明器具５０とを備える。
【００２６】
宅内機器１０は、住宅内に配置される機器である。宅内機器１０は、例えば、テレビ、ゲーム機、動画再生機器などである。宅内機器１０は、サーバ２００及び制御装置４０に接続されている。宅内機器１０は、サーバ２００からデータをダウンロードする。ここでは、データとは、例えば、宅内機器１０がテレビである場合、テレビ番組表、又は番組のコンテンツのデータなどをいい、宅内機器１０がゲーム機である場合、ゲームのソフトウェアのデータなどをいう。
【００２７】
宅内機器１０は、宅内機器情報を制御装置４０に送信する。宅内機器情報とは、宅内機器１０の状態を示す情報であり、宅内機器１０の挙動を示す。例えば、宅内機器１０がテレビである場合、テレビ１０が所定の番組を再生している途中であるか、所定の番組を再生し終えたところであるか、など、テレビ１０の再生状態を示す情報である。
【００２８】
情報通信機器２０は、誘引情報を制御装置４０に送信する。情報通信機器２０は、例えば、スマートフォン、タブレット端末、及びパーソナルコンピュータなどであり、入力部２１及び送信部２２を備える。入力部２１は、例えば、タッチパネル、キーボード、マウス又はマイクなどである。
【００２９】
情報通信機器２０は、送信部２２を介して制御装置４０と接続される。送信部２２は、Ｂｌｕｅｔｏｏｔｈ（登録商標）、ＩｒＤＡ、又はＷｉ−Ｆｉ（登録商標）などの無線通信インタフェースである。なお、送信部２２は、イーサネット（登録商標）などの有線通信インタフェースであってもよい。
【００３０】
行動検知器３０は、人の行動を検知し、行動を示す行動情報を制御装置４０に送信する。人の行動を検知するとは、人の動きそのものを検知してもよく、人の動きにより移動する物の動きを検知してもよい。すなわち、行動情報とは、人の動きを示す情報であってもよく、人の動きにより移動する物の動きを示す情報であってもよい。
【００３１】
行動検知器３０は、例えば、カメラ又はセンサである。行動検知器３０がカメラの場合、行動検知器３０は、幼児がおもちゃ又は絵本などを片付ける動きを検知してもよく、おもちゃ又は絵本などにタグを付けて、幼児が片付けるおもちゃ又は絵本などの移動を検知してもよい。行動検知器３０がセンサの場合、行動検知器３０は、例えばおもちゃ箱などの収納容器に組み込まれた重量センサで重量の変化を計測することにより、幼児が片付けるおもちゃ又は絵本などの移動を検知してもよい。
【００３２】
なお、行動検知器３０は、制御装置４０と無線で接続されていてもよく、有線で接続されていてもよい。また、行動検知器３０は、単独で配置されてもよく、照明器具５０に組み込まれてもよい。
【００３３】
制御装置４０は、室内の環境を制御する。本実施の形態では、室内の環境は、例えば、視覚環境及び聴覚環境である。制御装置４０は、天井又は壁に設置されてもよく、照明器具５０に組み込まれていてもよい。制御装置４０は、通信部４１と、制御部４２とを備える。
【００３４】
通信部４１は、宅内機器１０、情報通信機器２０及び行動検知器３０から情報を取得する。具体的には、通信部４１は、情報通信機器２０から誘引に関する条件を示す誘引情報を取得し、宅内機器１０から宅内機器１０の状態を示す宅内機器情報を取得し、行動検知器３０から行動を示す行動情報を取得する。通信部４１は、Ｂｌｕｅｔｏｏｔｈ（登録商標）、ＩｒＤＡ、又はＷｉ−Ｆｉ（登録商標）などの無線通信インタフェースである。なお、通信部４１は、イーサネット（登録商標）などの有線通信インタフェースであってもよい。
【００３５】
制御部４２は、通信部４１により取得された情報に基づいて、照明器具５０を制御する。制御部４２は、ＣＰＵ（Ｃｅｎｔｒａｌ  Ｐｒｏｃｅｓｓｉｎｇ  Ｕｎｉｔ）、プログラムを格納するＲＯＭ、ＲＡＭを含み、判断部４３、照明制御部４４及び楽曲制御部４５を備える。なお、判断部４３、照明制御部４４及び楽曲制御部４５は、ＣＰＵがプログラムを実行することにより実現される。
【００３６】
制御部４２は、通信部４１により取得された宅内機器情報が示す状態が、通信部４１により取得された誘引情報が示す条件を満たした場合に、通信部４１を介して照明器具５０に楽曲の再生を開始させ、楽曲の再生が開始された後に、通信部４１により取得された行動情報に基づいて、照明器具５０が楽曲を再生し終えるのに要する時間を調整する制御をする。
【００３７】
判断部４３は、通信部４１により取得された宅内機器情報が示す状態が、通信部４１により取得された誘引情報が示す条件を満たすかどうか判断する。ここで、誘引情報が示す条件には、例えば、人に行動を誘引させる行動誘引プログラムを起動させるタイミング情報（以下、単に、「タイミング情報」という場合がある。）があり、所定の行動誘引プログラムに基づいて照明器具５０の制御を制御装置４０に開始させるタイミング情報である。例えば、「宅内機器１０の状態が所定の状態になった場合」に、制御装置４０が照明器具５０に制御コマンドを送信するという、照明器具の制御を開始するタイミング情報である。
【００３８】
照明制御部４４は、照明器具５０の光源５３を制御する信号を、通信部４１を介して照明器具５０に送信する。
【００３９】
楽曲制御部４５は、照明器具５０のスピーカー５４を制御する信号を、通信部４１を介して照明器具５０に送信する。
【００４０】
照明器具５０は、音楽再生機能付きの照明装置であって、受信部５１、制御部５２、光源５３及びスピーカー５４を備える。受信部５１は、制御装置４０からの信号を受信する。受信した信号に基づき、制御部５２は、光源５３及びスピーカー５４を制御する。受信部５１は、Ｂｌｕｅｔｏｏｔｈ（登録商標）、ＩｒＤＡ、又はＷｉ−Ｆｉ（登録商標）などの無線通信インタフェースである。なお、受信部５１は、イーサネット（登録商標）などの有線通信インタフェースであってもよい。制御部５２は、例えば、プロセッサ、プログラムを格納するＲＯＭ及びＲＡＭを含む。光源５３は、例えば、ＬＥＤ（Ｌｉｇｈｔ  Ｅｍｉｔｔｉｎｇ  Ｄｉｏｄｅ）である。
【００４１】
［行動誘引システムの動作］
次に、本実施の形態に係る行動誘引システム１００の動作について説明する。図３は、本実施の形態に係る行動誘引システム１００の動作例を示すシーケンス図である。
【００４２】
ここでは、行動誘引される人は、幼児であり、誘引される行動は、おもちゃなどの片付けである。また、情報通信機器２０は、幼児の母親のスマートフォンであり、宅内機器１０は、テレビであり、行動検知器３０は、カメラである。
【００４３】
図３に示すように、行動誘引システム１００では、まず、母親は、予め、スマートフォン２０を用いて、「テレビ１０が所定のテレビ番組を再生し終えたとき」などのタイミング情報と、照明の動作及び楽曲の再生を実行させるプログラム情報とを選択し、これらを誘引情報として制御装置４０に送信する。例えば、母親は、タイミング情報として、「テレビ１０があるアニメ番組を再生し終えたとき」を選択し、プログラム情報として、「１０分間、照明の白色度を高めて室内を明るくし、かつ、幼児が好む楽曲を流す」など、幼児の行動を誘引する誘引情報を予め設定することができる。誘引情報の設定は、幼児の行動を誘引したいときにその都度行ってもいいし、曜日と時間を設定して定期的に繰り返されるようにしてもよい。
【００４４】
制御装置４０は、スマートフォン２０から誘引情報を取得する（ステップＳ０１）と、テレビ１０に宅内機器情報を要求する（ステップＳ０２）。テレビ１０は、所定のテレビ番組、つまり、母親がタイミング情報で設定したテレビ番組を再生している状態であることを、宅内機器情報として制御装置４０に送信する（ステップＳ０３）。制御装置４０は、テレビ１０から宅内機器情報を取得すると、母親が設定した誘引情報が示すタイミング情報と宅内機器情報とが一致するか否かを判断する。このとき、タイミング情報は、「テレビ１０が所定のテレビ番組を再生し終えたとき」と設定されており、宅内機器情報は、「テレビ１０が所定のテレビ番組を再生している状態」である。そのため、制御装置４０は、「母親が設定した誘引情報が示すタイミング情報と宅内機器情報とが一致しない。」と判断する。このように、誘引情報が示すタイミング情報と宅内機器情報とが一致しない（ステップＳ０４）場合、制御装置４０は、再び、テレビ１０に宅内機器情報を要求する（ステップＳ０２）。なお、ステップＳ０２とステップＳ０３は、誘引情報が示すタイミング情報と宅内機器情報とが一致するまで繰り返される。そして、所定のテレビ番組が終了したときに、テレビ１０は、所定の番組が終了した状態であることを、宅内機器情報として制御装置４０に送信する（ステップＳ０５）。
【００４５】
制御装置４０は、テレビ１０から宅内機器情報を取得すると、母親が設定した誘引情報が示すタイミング情報と、宅内機器１０の状態を示す宅内機器情報とが一致するか否かを判断する。このとき、タイミング情報は、「テレビ１０が所定のテレビ番組を再生し終えたとき」であり、宅内機器情報は、「テレビ１０が所定のテレビ番組を再生し終えた状態」である。そのため、制御装置４０は、「母親が設定した誘引情報が示すタイミング情報と宅内機器情報とが一致する。」と判断する。このように、誘引情報が示すタイミング情報と宅内機器情報とが一致する（ステップＳ０６）場合、制御装置４０は、テレビ１０に宅内機器情報の送信を停止するコマンドを送信する。そして、制御装置４０は、照明器具５０に照明の動作と楽曲の再生を実行させる制御コマンドを送信する（ステップＳ０７）。なお、このとき、制御装置４０は、カメラ３０に現在の状況を示す画像データを要求してもよい。これにより、行動誘引プログラムを開始した当初の室内の状況と、所定時間経過後の片付け達成状況とを、例えば、散らかり度合として比較することができるため、より正確に、行動達成に要する時間を予測することができる。
【００４６】
行動誘引プログラムを実行した後、所定の時間が経過したときに、制御装置４０は、カメラ３０に片付けの進捗状況を示す画像データを要求する（ステップＳ０９）。カメラ３０が制御装置４０に、進捗状況を示す画像データを送信する（ステップＳ１０）と、制御装置４０は、行動達成までの時間を算出する（ステップＳ１１）。なお、行動達成とは、誘引された行動が完了することをいい、ここでは、片付け完了のことである。このとき、制御装置４０は、取得した画像データから進捗状況、つまり、片付け開始から所定時間が経過した後の散らかり度合を算出する。そして、この所定時間経過後の散らかり度合と、行動誘引プログラムを開始したときの室内の状況、つまり、片付け開始時の散らかり度合と、を比較して、片付け完了までの時間を算出する。ここで、散らかり度合は、例えば、以下のように算出される。おもちゃ及び絵本などにタグなどを付しておき、カメラ１０で室内の様子を撮像する。撮像された画像から、室内に存在するタグの数を識別し、片付け開始時の室内のタグ数と、片付け開始から所定時間が経過した後の室内のタグ数とを算出する。そして、それらの差分を算出し、経過時間で除することにより、幼児の片付け速度を算出する。算出された片付け速度から、片付け完了までの時間を算出する。そして、片付け速度が変化する可能性を考慮し、算出された片付け完了までの時間に所定の時間を加えて、片付け完了までの時間を算出する。
【００４７】
制御装置４０は、算出された片付け完了までの時間と行動誘引プログラムで設定された時間（１０分間）との差分を算出し、差分の時間の長さにより、楽曲再生パターンを決定する（ステップＳ１２）。楽曲再生パターンは、楽曲の再生速度を遅くするパターンであってもよく、楽曲の一部、例えば、サビの部分を繰り返すパターンであってもよい。予め設定された時間（１０分間）を延長する調整を行ったことを、幼児に気づかれないように調整できればよく、差分の時間の長さにより、適宜、楽曲再生パターンを決定するとよい。
【００４８】
制御装置４０は、楽曲再生パターンを決定すると、照明器具５０に制御コマンドを送信する（ステップＳ１３）。このとき、例えば、設定時間が１０分間であり、差分時間が５分であったとする。制御装置４０は、幼児に気づかれないように設定時間を延長するために、楽曲の再生速度を遅くするよりもサビの部分を繰り返す方が良いと判断し、サビの部分を繰り返す制御コマンドを照明器具５０に送信する。なお、ステップＳ１３では、楽曲再生パターン及び再生時間の制御コマンドと共に、楽曲の再生を終了するまで照明の白色度を高めて室内を明るく保つなどの照明の制御コマンドも送信する。
【００４９】
照明器具５０は、制御装置４０から制御コマンドを受信すると、照明及び楽曲再生の時間の調整を行う（ステップＳ１４）。これにより、幼児は、所定の楽曲が再生されている間に片付けができたという達成感を感じることができるため、所定の楽曲が再生されると、片付けをする時間であることに気づき、自主的に片付けに取り組めるようになる。
【００５０】
［制御装置の各構成の動作］
次に、本実施の形態における制御装置４０の各構成の動作について、より詳しく説明する。図４は、本実施の形態における制御装置４０の通信部４１及び制御部４２の動作例を示すフローチャートである。
【００５１】
本実施の形態における制御部４２は、通信部４１を介して、情報通信機器２０から誘引情報を取得する（ステップＳ１）。次に、制御部４２は、宅内機器１０に宅内機器情報を要求し、宅内機器１０から宅内機器情報を取得する（ステップＳ２）。次に、制御部４２内の判断部４３は、宅内機器１０から取得された宅内機器情報が示す状態が、情報通信機器２０から取得された誘引情報が示す条件を満たすか判断する（ステップＳ３）。つまり、判断部４３は、情報通信機器２０から取得された誘引情報が示すタイミング情報と、宅内機器１０の状態を示す宅内機器情報とが一致するか否かを判断する。
【００５２】
判断部４３がタイミング情報と宅内機器情報とが一致すると判断した場合（ステップＳ３にてＹＥＳ）、照明制御部４４及び楽曲制御部４５は、通信部４１を介して、照明及び楽曲の再生を制御するコマンドを照明器具５０に送信し、照明の動作及び楽曲の再生を開始させる（ステップＳ４）。なお、判断部４３がタイミング情報と宅内機器情報とが一致しないと判断した場合（ステップＳ３にてＮＯ）、制御部４２は、宅内機器１０に宅内機器情報を要求し、宅内機器１０から宅内機器情報を取得する（ステップＳ２）。そして、判断部４３は、情報通信機器２０から取得された誘引情報が示す条件を満たすかどうか判断する（ステップＳ３）。
【００５３】
照明の動作及び楽曲の再生を開始させて、所定の時間が経過した後、制御部４２は、通信部４１を介して、行動検知器３０から行動情報を取得する（ステップＳ５）。このとき、行動情報は、制御部４２が行動検知器３０に行動情報を要求して取得されてもよく、制御部４２が行動検知器３０に行動情報の要求することなく取得されてもよい。次に、判断部４３は、通信部４１により取得された行動情報に基づいて、人の行動の達成状況を判断する（ステップＳ６）。楽曲制御部４５は、人の行動の達成状況に基づいて、照明器具５０が楽曲を再生し終えるように、時間を調整する（ステップＳ７）。このとき、楽曲制御部４５は、楽曲の再生速度を調整することで時間を調整してもよく、楽曲の少なくとも一部において繰り返し再生させることで時間を調整してもよい。これにより、行動誘引の対象者は、楽曲が再生されている間に行動を完了することができるため、達成感を得ることができる。
【００５４】
なお、ステップＳ７では、楽曲だけではなく、さらに、照明の制御が行われてもよい。これにより、行動誘引の対象者は、視覚的にも次の行動を開始するタイミングを認識することができるため、効果的に対象者の行動を誘引することができる。
【００５５】
以上のように、本実施の形態に係る行動誘引システム１００は、人の行動を誘引する行動誘引システム１００であって、宅内機器１０、情報通信機器２０及び行動を検知する行動検知器３０から情報を取得する通信部４１と、通信部４１により取得された情報に基づいて、音楽再生機能付き照明器具５０を制御する制御部４２とを備え、通信部４１は、情報通信機器２０から誘引に関する条件を示す誘引情報を取得し、宅内機器１０から宅内機器１０の状態を示す宅内機器情報を取得し、行動検知器３０から行動を示す行動情報を取得し、制御部４２は、通信部４１により取得された宅内機器情報が示す状態が、通信部４１により取得された誘引情報が示す条件を満たした場合に、通信部４１を介して音楽再生機能付き照明器具５０に楽曲の再生を開始させ、通信部４１により取得された行動情報に基づいて、音楽再生機能付き照明器具５０が楽曲を再生し終えるのに要する時間を、楽曲の再生が開始された後に調整する。
【００５６】
このように、宅内機器情報が示す状態が、誘引情報が示す条件を満たした場合、つまり、誘引情報が示すタイミング情報と宅内機器の状態を示す宅内機器情報とが一致した場合、音楽の再生が開始されることにより、対象者は、次の行動に移る時間が来たことを認識することができる。例えば、タイミング情報が「あるテレビ番組が終了したとき」であり、宅内機器情報が「テレビがあるテレビ番組の再生し終えたところ」である場合、制御部４２は、宅内機器情報が示す状態が、誘引情報が示す条件を満たしたと判断する。そして、対象者がテレビ番組を見終わったタイミングで楽曲が再生されるため、対象者は、次の行動に移る時間が来たことを認識することができる。このとき、対象者は、テレビ番組を見たい欲求が満たされた状態であるため、気持ちを切り替えて次の行動に取り組みやすくなる。また、楽曲の再生が開始された後に、対象者の行動情報、つまり、行動の進捗状況に基づいて、対象者の行動が完了する時間を算出し、行動が完了する時間に合わせて楽曲の再生時間を調整するため、対象者は楽曲が再生されている間に行動を完了することができる。そのため、対象者は、楽曲が再生されている間に行動を完了できたという達成感を得ることができる。これにより、対象者は、次回以降も楽曲が再生されている間に行動を達成したいという意欲を持つことができる。したがって、本開示の行動誘引システムによれば、対象者は、自主的に行動することができるようになる。
【００５７】
また、本実施の形態に係る行動誘引システム１００では、制御部４２は、通信部４１により取得された行動情報に基づいて、人の行動の達成状況を判断し、判断した達成状況に基づいて、時間を調整してもよい。具体的には、制御部４２は、行動情報に基づいて、人の行動が達成されて完了するタイミングを予測し、予測したタイミングで、音楽再生機能付き照明器具５０が楽曲を再生し終えるように、時間を調整してもよい。
【００５８】
これにより、対象者は、楽曲が再生されている間に行動を完了することができるため、達成感を得ることができる。
【００５９】
また、本実施の形態に係る行動誘引システム１００では、制御部４２は、楽曲の再生速度を調整することで、時間を調整してもよい。
【００６０】
これにより、対象者は、楽曲が再生されている間に行動を完了することができるため、達成感を得ることができる。
【００６１】
また、本実施の形態に係る行動誘引システム１００では、制御部４２は、楽曲の少なくとも一部において繰り返し再生させることで、時間を調整してもよい。
【００６２】
これにより、対象者は、楽曲が再生されている間に行動を完了することができるため、達成感を得ることができる。
【００６３】
また、本実施の形態に係る行動誘引システム１００は、制御部４２は、さらに、通信部４１により取得された宅内機器情報が示す状態が、通信部４１により取得された誘引情報が示す条件を満たした場合に、通信部４１を介して音楽再生機能付き照明器具５０による照明の動作を制御してもよい。
【００６４】
これにより、対象者は、視覚的にも次の行動を開始するタイミングを認識することができるため、効果的に対象者の行動を誘引することができる。
【００６５】
また、本実施の形態に係る行動誘引方法では、人の行動を誘引する行動誘引方法であって、宅内機器１０、情報通信機器２０及び行動を検知する行動検知器３０から情報を取得する通信ステップと、通信ステップで取得された情報に基づいて、音楽再生機能付き照明器具５０を制御する制御ステップと、を含み、通信ステップでは、情報通信機器から誘引に関する条件を示す誘引情報を取得し、宅内機器１０から宅内機器１０の状態を示す宅内機器情報を取得し、行動検知器３０から行動を示す行動情報を取得し、制御ステップは、通信ステップで取得された宅内機器情報が示す状態が、通信ステップで取得された誘引情報が示す条件を満たした場合に、通信により、音楽再生機能付き照明器具５０に楽曲の再生を開始させる音楽再生ステップと、通信ステップで取得した行動情報に基づいて、音楽再生機能付き照明器具５０が楽曲を再生し終えるのに要する時間を、楽曲の再生が開始された後に調整する再生時間調整ステップと、を含む。
【００６６】
これにより、宅内機器情報が示す状態が、誘引情報が示す条件を満たした場合、つまり、誘引情報が示すタイミング情報と宅内機器の状態を示す宅内機器情報とが一致した場合、音楽の再生が開始されることにより、対象者は、次の行動に移る時間が来たことを認識することができる。例えば、タイミング情報が「あるテレビ番組が終了したとき」であり、宅内機器情報が「テレビがあるテレビ番組の再生し終えたところ」である場合、制御部４２は、宅内機器情報が示す状態が、誘引情報が示す条件を満たしたと判断する。そして、対象者がテレビ番組を見終わったタイミングで楽曲が再生されるため、対象者は、次の行動に移る時間が来たことを認識することができる。このとき、対象者は、テレビ番組を見たい欲求が満たされた状態であるため、気持ちを切り替えて次の行動に取り組みやすくなる。また、楽曲の再生が開始された後に、対象者の行動情報、つまり、行動の進捗状況に基づいて、対象者の行動が完了する時間を算出し、行動が完了する時間に合わせて楽曲の再生時間を調整するため、対象者は楽曲が再生されている間に行動を完了することができる。そのため、対象者は、楽曲が再生されている間に行動を完了できたという達成感を得ることができる。これにより、対象者は、次回以降も楽曲が再生されている間に行動を達成したいという意欲を持つことができる。したがって、本開示の行動誘引方法によれば、対象者は、自主的に行動することができるようになる。
【００６７】
なお、これらの包括的又は具体的な態様は、システム、方法、集積回路、コンピュータプログラム又はコンピュータで読み取り可能なＣＤ−ＲＯＭなどの記録媒体で実現されてもよく、システム、方法、集積回路、コンピュータプログラム及び記録媒体の任意な組み合わせで実現されてもよい。
【００６８】
また、上記実施の形態において、制御部はソフトウェアプログラムにより実現されたが、専用のハードウェアにより実現されてもよい。
【００６９】
以上、本開示に係る行動誘引システム、行動誘引方法及びプログラムについて、実施の形態に基づいて説明したが、本開示は、これらの実施の形態に限定されるものではない。本開示の主旨を逸脱しない限り、当業者が思いつく各種変形を実施の形態に施したものや、実施の形態における一部の構成要素を組み合わせて構築される別の形態も、本開示の範囲に含まれる。
【００７０】
なお、本実施の形態では、宅内機器１０としてテレビの例を示したが、宅内機器１０は、ゲーム機でもよい。この場合、ゲームのソフトウェアは、インターネットを介してダウンロードされていてもよく、記録媒体に記録されていてもよい。宅内機器情報としてゲームの進捗状況を制御装置４０に送信するために、ゲームのソフトウェアにプログラムが組み込まれていてもよい。
【００７１】
これにより、制御装置４０は、ゲームの進捗状況に基づいて行動誘引プログラムを起動させるタイミングを判断しながら行動誘引できるため、ゲームが一通り落ち着いたところで幼児を次の行動に誘引することができる。そのため、幼児は、欲求が満たされた状態であるため、気持ちを切り替えて次の行動に取り組みやすくなる。
【００７２】
また、本実施の形態では、誘引する行動として片付けの例を示したが、誘引する行動は、就寝であってもよい。この場合、時間の経過とともに照明を暗くする制御及び楽曲の音量を小さくする制御を行ってもよい。
【００７３】
これにより、対象者は、視覚的にも聴覚的にも次の行動を開始するタイミングを認識することができるため、効果的に対象者の行動を誘引することができる。
【００７４】
また、本実施の形態では、行動検知器３０は、行動誘引プログラムが開始されてから動作するが、行動誘引前の対象者、例えば、本実施の形態では、幼児の行動をセンシングしてもよい。例えば、幼児がテレビ番組又はＤＶＤを観ている様子をカメラ３０にて撮像する。そして、幼児がテレビ番組又はＤＶＤに飽きていると判断された場合、片付けの行動誘引プログラムを開始してもよい。幼児がテレビ番組などに飽きていると判断されるのは、例えば、幼児の視線がテレビ画面から外れる回数及び時間が多くなった場合、幼児の体の向きがテレビ１０の方向と異なる方向に向くようになった場合、おもちゃ又は絵本などの他の対象物を取りに行く行動が見られた場合、又は、瞬きの回数が多くなった場合などである。
【００７５】
このように、幼児がそれまで継続していた行動に飽きた場合に、効果的に次の行動に誘引することができる。
【符号の説明】
【００７６】
１０  宅内機器
２０  情報通信機器
３０  行動検知器
４１  通信部
４２  制御部
５０  照明器具
１００  行動誘引システム
【図１】
2019087851.tif 000003
【図２】
2019087851.tif 000004
【図３】
2019087851.tif 000005
【図４】
2019087851.tif 000006
【国際調査報告】
2019087851.tif 000007
2019087851.tif 000008
2019087851.tif 000009
2019087851.tif 000010